(57)【要約】【課題】操作位置の分かりやすさを維持しつつ見た目を向上させたスイッチ装置を提供する。【解決手段】スイッチ装置Ａは、前面に設けられた押釦１２の押圧操作により接点のオン／オフが切り替えられる押釦スイッチ１と、一端側において押釦スイッチ１に回動自在に支持され他端側を押圧することで押釦１２を押圧操作するピアノハンドル２と、ピアノハンドル２を前面側に露出させる窓孔３１を有し窓孔３１を通してピアノハンドル２を前面側に露出させた状態で押釦スイッチ１の前方に配置される化粧プレート３とを備える。ピアノハンドル２の前面は、ピアノハンドル２が操作されていない状態において化粧プレート３の前面からの高さが面全体で略同じであり、ピアノハンドル２において押圧される領域には、押釦スイッチ１のオン／オフ状態を表示する表示窓２１が設けられている。【選択図】図１
2014120206.tif 000002
【特許請求の範囲】
【請求項１】
前面に設けられた押釦の押圧操作により接点のオン／オフが切り替えられる押釦スイッチと、
一端側において前記押釦スイッチに回動自在に支持され他端側を押圧することで前記押釦を押圧操作するピアノハンドルと、
前記ピアノハンドルを前面側に露出させる窓孔を有し前記窓孔を通して前記ピアノハンドルを前面側に露出させた状態で前記押釦スイッチの前方に配置される化粧プレートとを備え、
前記ピアノハンドルの前面は、前記ピアノハンドルが操作されていない状態において前記化粧プレートの前面からの高さが面全体で略同じであり、
前記ピアノハンドルにおいて押圧される領域には、前記押釦スイッチのオン／オフ状態を表示する表示部が設けられていることを特徴とするスイッチ装置。
【発明の詳細な説明】
【技術分野】
【０００１】
本発明は、スイッチ装置に関するものである。
【背景技術】
【０００２】
従来より、壁などの造営材に取り付けられるスイッチ装置が提供されている（例えば特許文献１参照）。このスイッチ装置は、押釦ハンドルの押圧操作により接点部の接点切換が行われる押釦スイッチと、押釦スイッチの前面に一端部が回動自在に枢支され他端部を押圧することで押釦ハンドルを押圧操作するピアノハンドルと、ピアノハンドルを前面側に露出させる窓孔を有し押釦スイッチの前方に配置される化粧プレートとを備える。
【０００３】
このスイッチ装置を壁に取り付けた状態では、化粧プレートの窓孔を通してピアノハンドルが前面側に露出しており、このピアノハンドルの上記他端部を押圧することで押釦スイッチの接点部がオン又はオフに切り替えられる。
【先行技術文献】
【特許文献】
【０００４】
【特許文献１】特開２００１−１７６３５４号公報
【発明の概要】
【発明が解決しようとする課題】
【０００５】
上述の特許文献１に示したスイッチ装置では、ピアノハンドルを操作していない状態において、ピアノハンドルの上記他端部側が上記一端部側よりも前方に突出しているため、操作位置は分かりやすいが、化粧プレートに対するピアノハンドルの突出量が位置によって異なっているため、見た目がよくなかった。
【０００６】
本発明は上記問題点に鑑みて為されたものであり、その目的とするところは、操作位置の分かりやすさを維持しつつ見た目を向上させたスイッチ装置を提供することにある。
【課題を解決するための手段】
【０００７】
本発明のスイッチ装置は、前面に設けられた押釦の押圧操作により接点のオン／オフが切り替えられる押釦スイッチと、一端側において押釦スイッチに回動自在に支持され他端側を押圧することで押釦を押圧操作するピアノハンドルと、ピアノハンドルを前面側に露出させる窓孔を有し窓孔を通してピアノハンドルを前面側に露出させた状態で押釦スイッチの前方に配置される化粧プレートとを備える。ピアノハンドルの前面は、ピアノハンドルが操作されていない状態において化粧プレートの前面からの高さが面全体で略同じであり、ピアノハンドルにおいて押圧される領域には、押釦スイッチのオン／オフ状態を表示する表示部が設けられている。
【発明の効果】
【０００８】
ピアノハンドルに設けられた表示部によってピアノハンドルの操作位置が分かりやすくなっており、しかもピアノハンドルの前面は、ピアノハンドルが操作されていない状態において化粧プレートの前面からの高さが面全体で略同じになっているので、見た目が向上するという効果がある。
【図面の簡単な説明】
【０００９】
【図１】本実施形態のスイッチ装置を壁に取り付けた状態を示し、（ａ）は正面図、（ｂ）は側面図である。
【図２】（ａ）は同上のピアノハンドルを操作していない状態を下側から見た断面図、（ｂ）は同上のピアノハンドルを操作した状態を下側から見た断面図である。
【図３】（ａ）は同上のピアノハンドルを操作していない状態の斜視図、（ｂ）は同上のピアノハンドルを操作した状態の斜視図である。
【発明を実施するための形態】
【００１０】
以下に、スイッチ装置の実施形態について図１〜図３を参照して説明する。本実施形態のスイッチ装置Ａは、例えば図１（ａ）及び図１（ｂ）に示すように、壁Ｗ１に設けられた埋込孔１００を通して後面側を埋め込んだ状態で壁Ｗ１に取り付けられる。なお、以下の説明では特に断りがない限り、図１（ａ）に示す向きにおいて上下左右の方向を規定し、さらに図１（ａ）中の紙面に垂直な方向を前後方向と規定して以下の説明を行う。
【００１１】
本実施形態のスイッチ装置Ａは、図１（ｂ）に示すように、押釦スイッチ１と、ピアノハンドル２と、化粧プレート３と、取付枠４とを備える。
【００１２】
押釦スイッチ１は、図２（ａ）に示すように、前面が開口する矩形箱状のボディ１１ａと後面が開口する矩形箱状のカバー１１ｂとを組み付けることで形成される器体１１を有し、器体１１の前面側には、内部に収納された接点（図示せず）のオン／オフを切り替えるための押釦１２が右寄りに設けられている。また、器体１１の前面側には、上記接点のオン／オフ状態に応じて点灯又は消灯する赤色発光ダイオード及び緑色発光ダイオード（ともに図示せず）が左寄りに設けられている。なお、この押釦スイッチ１は、上述の特許文献１に示したスイッチ装置の押釦スイッチと同様の構成であるから、詳細な説明については省略する。
【００１３】
この押釦スイッチ１は、電源（図示せず）と負荷（図示せず）の間に上記接点が直列に接続されており、上記接点がオンになると電源から負荷に電力が供給され、上記接点がオフになると電源から負荷への電力供給が遮断される。
【００１４】
ピアノハンドル２は、図１（ａ）に示すように上下方向に長い矩形板状に形成され、左右方向における一端側（図２（ａ）中の左側）において押釦スイッチ１に回動自在に支持されている。そして、ピアノハンドル２の左右方向における他端側（図２（ａ）中の右側）を後面側（図２（ａ）中の下側）に押圧することで、押釦スイッチ１の押釦１２が押圧操作される（図２（ｂ）参照）。なお、このピアノハンドル２の取付構造についても、上述の特許文献１に示したスイッチ装置と同様であるから、詳細な説明については省略する。
【００１５】
化粧プレート３は、図１（ａ）に示すように上下方向に長い矩形板状に形成され、化粧プレート３の略中央には、ピアノハンドル２を前面側に露出させる窓孔３１が設けられている（図２（ａ）及び図２（ｂ）参照）。そして、この化粧プレート３は、例えば取付ねじなどの適宜の取付手段を用いて後述の取付枠４に前面側から取り付けられる。
【００１６】
取付枠４は、例えばＪＩＳ等で規格化された埋込型配線器具用の取付枠であり、上述の特許文献１に示したスイッチ装置に用いられる取付枠と同様の構成であるから、詳細な説明については省略する。
【００１７】
ここにおいて、ピアノハンドル２の上下方向における略中央で且つ左右方向における右端側には表示窓２１（表示部）が設けられており（図１（ａ）参照）、上記赤色発光ダイオード又は緑色発光ダイオードからの光がライトガイド（図示せず）により表示窓２１に導光される。そして本実施形態では、押釦スイッチ１の接点（図示せず）がオンになると、電源から負荷に電力が供給され且つ赤色発光ダイオードが点灯し、上記接点がオフになると、電源から負荷への電力供給が遮断され且つ緑色発光ダイオードが点灯する。その結果、ピアノハンドル２の表示窓２１からは、上記接点のオン／オフ状態に応じて赤色光又は緑色光が放射される。ここで、表示窓２１はピアノハンドル２の押圧領域に設けられており、この表示窓２１から放射される赤色光又は緑色光によって操作位置が分かりやすくなっている。
【００１８】
また、図２（ａ）及び図３（ａ）はピアノハンドル２が操作されていない状態であり、このときピアノハンドル２の前面は、前後方向（図２（ａ）中の上下方向）において化粧プレート３の前面からの高さが面全体で略同じになっている。その結果、上述の特許文献１に示したスイッチ装置のように片側が出っ張っているものに比べて見た目が向上するという利点がある。そして、図２（ｂ）及び図３（ｂ）に示すように、ピアノハンドル２を後面側に押圧することで押釦１２が後方に押圧され、これにより上記接点がオン又はオフに切り替えられる。またこのとき、上記接点の状態、すなわち負荷の動作状態に合わせて赤色発光ダイオード又は緑色発光ダイオードが点灯し、赤色光又は緑色光が表示窓２１を通して前面側に放射される。
【００１９】
なお本実施形態では、ピアノハンドル２が操作されていない状態においてピアノハンドル２の前面が化粧プレート３の前面よりも前方に突出しているが、ピアノハンドル２の前面と化粧プレート３の前面とが面一であってもよい。また、表示部の構成は本実施形態に限定されるものではなく、ピアノハンドル２の操作位置が分かるようになっていれば他の構成でもよい。
【符号の説明】
【００２０】
１  押釦スイッチ
２  ピアノハンドル
３  化粧プレート
１２  押釦
２１  表示窓（表示部）
３１  窓孔
Ａ  スイッチ装置
【図１】
2014120206.tif 000003
【図２】
2014120206.tif 000004
【図３】
2014120206.tif 000005